(57)【要約】【課題】  反応管に試薬を注入して、攪拌し、加熱・冷却して所定の化学反応を進行させる場合に、反応管内の反応溶液の濃度を一定に維持しながら反応を行わせるようにする。【解決手段】  薬液注入ニードル（５０Ａ，５０Ｂ）で複数の試薬を所要量ずつ注入して任意の混合率の化合物を合成する反応管（５）の上端開口部（５９）に、前記ニードル（５０Ａ，５０Ｂ）を挿通する透孔（５６）が形成されたアルミキャップ（５ｂ）を螺合し、そのアルミキャップ（５ｂ）と反応管（５）の上端開口部（５９）との隙間に、底面にフッ素樹脂フィルムのライニング（５８）を施したシリコンゴム（５７）製の弾性パッキン（５ａ）を挟装した。【選択図】図１
2008183556.tif 000002
【特許請求の範囲】
【請求項１】
薬液注入ニードル（５０Ａ，５０Ｂ）で複数の試薬を所要量ずつ注入して任意の混合率の化合物を合成する反応管（５）の上端開口部（５９）に、前記ニードル（５０Ａ，５０Ｂ）を挿通する透孔（５６）が形成されたアルミキャップ（５ｂ）が螺合されると共に、当該アルミキャップ（５ｂ）と反応管（５）の上端開口部（５９）との隙間に弾性パッキン（５ａ）が挟装され、当該弾性パッキン（５ａ）はシリコンゴム（５７）で形成されると共に、その底面にフッ素樹脂フィルムのライニング（５８）が施されたことを特徴とする反応管のシール構造。
【発明の詳細な説明】
【技術分野】
【０００１】
本発明は、反応ブロックに配列された各反応管ごとに任意の混合率の化合物を合成する化合物の自動合成装置に用いる反応管のシール構造に関する。
【背景技術】
【０００２】
最近では、いくつかの物質を組み合わせて新規な化合物をつくり出す場合に、コンビナトリアルケミストリーという手法が採られている。これは、予め用意した数種類の試薬を、各試験管ごとに夫々任意の混合率で混合することにより、混合率が異なる多数のサンプルを合成し、その中から最適の混合率を有する化合物を選び出すものである。具体的には、まず、ラックに配列された多数の反応管ごとに任意の混合率で試薬を注入する試薬注入操作を行い、次いで、反応管に注入された試薬を攪拌し温度制御して所定の化学反応を進行させる反応操作を行う。そして、反応が終了して合成された化合物が複数の液層に分かれている場合は所定の液層部分から化合物を吸入する分液操作を行い、反応が終了した化合物を濾過する必要がある場合は濾過操作を行い、反応が終了した化合物を分析するためにカラム精製操作を行うなどの各種操作が必要になる。
【０００３】
この場合、非常に多数のサンプルを合成し、その夫々について上述の処理を行わなければならないので、最近では試薬注入装置，反応装置，分液装置，濾過装置，カラム精製装置などを用いて各処理を自動的に行うようにしている。これによれば、まず、試薬注入装置で各反応管に対して所定の混合率で試薬が注入される。次いで、反応装置では、化学反応を行う温度条件，時間条件，攪拌条件などの各条件が予めプログラムされているので、所定の混合率で試薬が注入された各反応管を反応装置にセットしさえすれば、そのプログラム通りに反応が進行する。そして、反応が終了した化合物が複数の液層に分かれている場合は、これを分液装置にかければ、所定の液層部分から所望の化合物を取り出すことができ、さらに必要がある場合は反応管内の化合物を濾過装置にかけて濾過した後、カラム精製装置で分析の前処理を行うことができる。
【０００４】
このような反応操作中、反応管を加熱する場合に、反応管内の反応溶媒が外部に漏洩して反応液濃度が変化するおそれがある。
例えば、反応管５内で蒸発された反応溶媒が、反応管の上部開口部から外部へ漏洩すると反応管５内の反応液濃度は変化する。
逆に反応管を冷却した場合には、反応管周囲の空気に含まれる水分が結露して、水滴となって反応管内に侵入するおそれがあり、これによって反応液濃度が変化してしまう。
【発明の開示】
【発明が解決しようとする課題】
【０００５】
そこで本発明は、反応管に試薬を注入して、攪拌し、温度制御して所定の化学反応を進行させる反応操作を行う際に、加熱した場合に反応管から反応溶媒の蒸気の漏洩や、冷却した場合に結露した水分が反応管内に浸入するのを防止することにより、反応中における反応溶液の濃度を一定に維持することを技術的課題としている。
【課題を解決するための手段】
【０００６】
この課題を解決するために、本発明は、薬液注入ニードルで複数の試薬を所要量ずつ注入して任意の混合率の化合物を合成する反応管の上端開口部に、前記ニードルを挿通する透孔が形成されたアルミキャップが螺合されると共に、当該アルミキャップと反応管の上端開口部との隙間に弾性パッキンが挟装され、当該弾性パッキンはシリコンゴムで形成されると共に、その底面にフッ素樹脂フィルムのライニングが施されたことを特徴としている。
【発明の効果】
【０００７】
本発明のシール構造によれば、キャップとして、熱伝導率に優れたアルミ製のものを使用しているので、キャップを冷却することにより、反応管内の弾性パッキン及び上面開口部近傍が冷却される。これにより、反応管内で蒸発された反応溶媒はキャップで冷却されて結露し反応管内に戻されるので、反応管内の反応液濃度は変化しない。
また、反応管を窒素雰囲気下に置けば、その周囲、特にキャップ上に結露を生ずることがなく、万一、結露したとしても、上面開口部が弾性パッキンで気密状態に塞がれているので、内部に水滴が侵入することがなく、反応管内の反応液濃度は変化しない。
【発明を実施するための最良の形態】
【０００８】
本例では、反応中における反応溶液の濃度を一定に維持するという課題を達成するために、薬液注入ニードルで複数の試薬を所要量ずつ注入して任意の混合率の化合物を合成する反応管の上端開口部に、前記ニードルを挿通する透孔を形成したアルミキャップを螺合させ、アルミキャップと反応管の上端開口部との隙間に、底面にフッ素樹脂フィルムのライニングを施したシリコンゴム製の弾性パッキンを挟装した。
【０００９】
図１は本発明に係る反応管のシール構造の一例を示す説明図、図２はその反応管を用いる化合物の自動合成装置を示す正面図、図３は図２のＩ−Ｉ線断面図、図４は反応ブロックの内部構造を示す拡大図、図５は交換ラック装着部にサンプルラックを装着した状態を示す正面図、図６は交換ラック装着部にＴＬＣ基板支持ラックを装着した状態を示す正面図、図７は交換ラック装着部に濾過ラックを装着した状態を示す正面図、図８は交換ラック装着部にカラム精製ラックを装着した状態を示す正面図、図９は配管系を示す流体回路図、図１０は抽出管とカラム精製ニードルを示す拡大図である。
【００１０】
化合物の自動合成装置１は、ボックス形の本体２の手前に透明の扉３が取り付けられており、扉３を開くと本体２のベース４には、例えば、正面左手に容積５ｃｃの反応管５，５を配列した反応ブロック６が配設されると共に、正面右手には各種のラックを着脱可能に装着する交換ラック装着部７が形成されている。また、本体天井部８には、直交３軸方向に移動制御されるロボットアーム９が配設され、反応ブロック６に配列される反応管５の位置や交換ラック装着部７に装着したラックに配列される試験管の位置に位置決めされるように成されている。
【００１１】
反応管５は、その上端開口部５９に、シリコンゴムとフッ素樹脂フィルムの二層構造に形成された弾性パッキン５ａを有するキャップ５ｂが装着され、その内部には、両端にＮ−Ｓ極を形成した磁気攪拌子５ｃが沈められている。より具体的には、反応管５の上端開口部５９に、後述する薬液注入ニードル５０Ａ，５０Ｂを挿通する透孔５６が形成されたアルミキャップ５ｂが螺合されると共に、当該アルミキャップ５ｂと反応管５の上端開口部５９との隙間に弾性パッキン５ａが挟装されている。この弾性パッキン５ａは、ＪＩＳ−Ａ型硬さ試験機で測定した硬さＨｓＡ＝２０〜２５程度のジメチルシリコンゴム５７で形成されると共に、その底面に厚さ１００μｍ程度のフッ素樹脂フィルムのライニング５８が施されている。このフッ素樹脂フィルムとしては，例えば、テトラフルオロエチレン−ヘキサフルオロプロピレン共重合体のフィルムが用いられている。
【００１２】
反応ブロック６は、その上面に例えば容量５ｃｃの反応管５を所定間隔でマトリクス状に配列する配列孔１０・・が開口形成されると共に、その内部には、各配列孔１０・・に反応管５・・を配置した状態で、当該各反応管５の周方向に回転する回転磁場を形成して反応管５内に沈めた磁気攪拌子５ｃを回転させる攪拌手段１１と、各反応管５を加温又は冷却する温度制御手段１２を備えている。また、当該反応ブロック６には、反応管５を装着した状態で加熱反応時にそのキャップ５ｂ部分を冷却する冷却マニホールド１３が取り付けられている。なお、この反応ブロック６も必要に応じて自動合成装置１から取り外すことができる。
【００１３】
攪拌手段１１は、各配列孔１０の下方に配設された永久磁石１４ａを先端に取り付けた回転軸１４の他端側にプーリ１４ｂが取り付けられ、当該各プーリ１４ｂ・・にプラスチックベルト１４ｃが掛け回されてモータ１５により回転駆動されるようになされている。また、温度制御手段１２は、配列孔１０に配列された反応管５を加熱する電気ヒータ１６と、各反応管５を冷却する冷媒を外部循環させる流通路１７からなり、設定温度に応じてヒータ１６を通電し、または、流通路１７に冷媒を流通させるように成されている。
【００１４】
さらに、冷却マニホールド１３は、反応ブロック６に対して蝶番１８を介して開閉可能に取り付けられ、各反応管５のキャップ５ｂを覆う凹部１９を形成した冷却ブロック２０が当該マニホールド１３の底面側に配され、当該冷却ブロック２０には冷媒を外部循環させる流通路２１が形成されている。また、前記各凹部１９は、後述するサンプリングニードル（薬液注入ニードル）５０Ａを挿し込む挿通孔２２を介して上面側に開放され、前記挿通孔２２は、所定間隔で配された２枚のシリコンゴムシート２３Ａ，２３Ｂで塞がれると共に、各挿通孔２２のゴムシート間が窒素ガス供給路２４を介して連通されている。
【００１５】
交換ラック装着部７は、各種ラックを載置するラック載置面３０が形成されると共に、当該載置面３０の左右片側にドレイン槽３１が形成されている。そして、ラック載置面３０には、試薬を貯留した複数の試験管３２を配列する試薬ラック３３、反応終了した化合物を所要量ずつ貯留する試験管３４を配列するサンプルラック３５、反応終了した化合物を所要量ずつ注入して濾過するフィルタ付きの濾過カートリッジ３６を配列する濾過ラック３７、反応終了した化合物をカラム精製する抽出管３８を配列したカラム精製ラック３９、または、反応中の化合物や反応終了した化合物を分析する薄層クロマトグラフィーに用いるＴＬＣ基板６０を略水平に支持するＴＬＣ基板支持ラック６１が装着可能に形成されている。
【００１６】
濾過ラック３７は、試験管４０を配列するラック本体４１の上面に当該試験管４０と等ピッチで濾過カートリッジ３６を配列するカートリッジラック４２が着脱自在に載置されて成り、濾過カートリッジ３６はそのフィルタ３６ａ部分のみを交換することができるように形成されている。
【００１７】
カラム精製ラック３９は、試験管４３を配列したフラクションラック４４がラック載置面３０のドレイン槽３１のない部分に載置されると共に、反応終了した化合物をカラム精製する抽出管３８を配列したシフトラック４５が前記フラクションラック４４の上方で水平方向にスライド可能に配されて成り、当該シフトラック４５を一端側にスライドさせたときに前記フラクションラック４４の真上に位置決めされ、他端側にスライドさせたときにドレイン槽３１の真上に位置決めされるように形成されている。
【００１８】
ＴＬＣ基板支持ラック６１に支持されるＴＬＣ基板６０は、例えば、シリカゲル，アルミナ，セルロースなどの粉末吸着剤を焼セッコウなどと練り合わせてガラス基板やアルミニウム基板に固着させて形成され、薄層クロマトグラフィーの固定層となる薄層を形成している。そして、ＴＬＣ基板６０は、基板支持ラック６１に載置可能な一枚の大判のものであっても、これを複数枚に分割した比較的小さなものであっても、また、一枚の大判のものを必要に応じて分割可能に形成したものであってもよい。
【００１９】
また、ロボットアーム９には、反応管５内に薬液を注入したり、反応管５から薬液を吸入するサンプリングニードル（薬液注入ニードル）５０Ａと、カラム精製を行う際に抽出管３８内に化合物や溶媒を注入するカラム精製ニードル（薬液注入ニードル）５０Ｂが、交換可能に取り付けられる。このサンプリングニードル５０Ａは反応管５のキャップ５ｂに装着された弾性パッキン５ａを突き刺して貫通することができるように尖って形成され、先端に薬液吸入及び注入を行う流路５０ａが開口されると共に、ニードル５０Ａを突き刺した状態で反応管５内の空気を外部に排出する排気流路５０ｂが当該ニードル５０Ａの下端側及び上端側に開口して形成されている。なお、この場合に、薬液として塩酸，硫酸等の酸性薬液を注入する場合は、少なくとも流路５０ａを形成する部分がハステロイＣなどの耐酸性金属を用いて形成したサンプリングニードル５０Ａを用いる。また、カラム精製ニードル５０Ｂは、内部に充填剤３８ａを充填した抽出管３８の上端に嵌め込まれたキャップ３８ｂの凹部３８ｃに密接するように先端が球面状に形成されている。
【００２０】
そして、ロボットアーム９は、薬液を吸入・吐出させたり溶媒を注入する配管系５１を備え、当該配管系５１は、その一端に前記ニードル５０Ａ，５０Ｂに接続されるポート５２が形成されると共に、他端に切換弁ＣＶを介して複数の溶媒ボトルＭ1〜Ｍnが切換接続され、吸入・吐出方向の切換可能な流量制御ポンプとしてデジタル制御シリンジポンプ５３が介装されてなる。したがって、このサンプリングニードル５０Ａを用いて、試薬ラック３３に配列された試験管３２から所要量の試薬を吸入して反応ブロック６に配列された反応管５内に所定量ずつ吐出させたり、溶媒ボトルＭ1〜Ｍnから溶媒を反応管５内に所定量ずつ吐出させたり、反応管５内で反応終了した化合物を吸入してサンプルラック３５に配列された試験管３４や、濾過ラック３７に配列された濾過カートリッジ３６に吐出させることができる。また、カラム精製ニードル５０Ｂを用いて、カラム精製ラック３９に配列された抽出管３８に、溶媒ボトルＭ1〜Ｍnから所定の溶媒を所定量吐出させたり、反応終了した化合物を吸入して所要量ずつ吐出させることができる。
【００２１】
なお、５４Ａ，５４Ｂは、前記各ニードル５０Ａ，５０Ｂを収容するニードルホルダであって、その内部にはニードル５０Ａ，５０Ｂの先端に洗浄液や加圧空気を吹き付ける洗浄装置（図示せず）が設けられている。また、５５は濾過する際に、濾過カートリッジ３６内に窒素ガスを加圧充填する多連加圧ノズルである。
【００２２】
以上が本発明の一構成例であって、次にその作用について説明する。化合物を合成する際には、例えば、(1)試薬注入操作，(2)溶媒注入操作，(3)反応操作，(4)ＴＬＣ分析操作，(5)分液サンプリング操作，(6)濾過操作，(7)カラム精製操作が行われるので、これらについて説明する。
【００２３】
試薬注入操作は、反応ブロック６に配列された各反応管５ごとに任意の混合率の化合物を合成するために、試薬ラック３３に配列された各試験管３２内に貯留された試薬を吸入して前記各反応管５に所要量ずつ注入する操作である。この場合、まず、反応ブロック６の配列孔１０に反応管５を装着した後、冷却マニホールド１３でその上面を覆う。
一方、交換ラック装着部７には、試薬を貯留した複数の試験管３２を配列した試薬ラック３３を装着する。この状態で、各反応管５ごとに試薬の注入量を設定すると、ロボットアーム９の先端にサンプリングニードル５０Ａが装着されて移動制御され、前記試験管３２内の試薬を吸入して各反応管５に所定量ずつ吐出する。
その後、サンプリングニードル５０Ａがニードルホルダ５４Ａ内の洗浄装置で洗浄され、次いで、異なる試験管３２内の試薬が各反応管５に吐出され、これを繰り返して、必要な種類の試薬を反応管５ごとに任意の混合率で注入する。
【００２４】
次いで、必要に応じて溶媒注入操作を行う。これは化合物の合成に溶媒を使用する必要があるときに、各反応管５に所定量の溶媒を吐出させるもので、この場合は、各溶媒ボトルＭ1〜Ｍnから必要な溶媒をサンプリングニードル５０Ａを用いて各反応管５に注入する。なお、ここで、例えば、塩酸や硫酸などの酸性溶媒を注入する場合には、サンプリングニードル５０Ａとして、少なくともその内部流路５０ａが耐酸性金属で形成された耐酸ニードルを用いる。
【００２５】
このようにして、反応管５に複数の試薬を任意の混合率で注入した後、反応操作を行う。これは、攪拌・温度制御を行うことにより、所定の温度−時間管理を行い予め設定された条件下で反応を進行させるものである。
攪拌を行う場合は、攪拌手段１１のモータ１５を起動させれば、永久磁石１４ａが回転されるので、各配列孔１０ごとに回転磁界が形成され、反応管５内に沈められた磁気攪拌子５ｃが回転し、反応管５内の薬液が攪拌される。
また、所定の温度制御を行う場合は、設定温度が室温以上の場合はヒータ１６に通電され、設定温度が室温以下の場合は外部から供給された冷媒が流通路１７内を循環し、所定の温度条件下で反応が進行される。
【００２６】
なお、反応管５を加熱する場合は、反応管５内の反応溶媒が外部に漏洩して反応液濃度が変化するおそれがある。そこで、この場合には、冷却マニホールド１３に形成された窒素ガス供給路２４から反応管５の周囲の隙間に窒素ガスを充填して反応管５を窒素ガス下に置き、この状態で流通路２１に冷媒を供給して反応管５のキャップ５ｂを冷却する。
特に、キャップ５ｂは熱伝導率に優れたアルミ製であるので、キャップ５ｂを冷却することにより、反応管５内の弾性パッキン５ａ及び上面開口部５９近傍が冷却される。これにより、反応管５内で蒸発された反応溶媒はキャップ５ｂで冷却されて結露し反応管５内に戻されるので、反応管５内の反応液濃度は変化しない。
また、反応管５は窒素雰囲気下に置かれているので、その周囲、特にキャップ５ｂ上に結露を生ずることがなく、万一、結露したとしても、上面開口部５９が弾性パッキン５ａで気密状態に塞がれているので、内部に水滴が侵入することもない。
なお、シリコンゴム５７の底面にフッ素樹脂フィルムのライニング５８を施してなる本例の弾性パッキン５ａを用いて、１００％メタノールを反応管５に入れ、キャップ５ｂを冷却しながら、２４時間加熱する実験を行ったところ、内容物の減少量は平均で0.18％程度と極めて良好なシール性が得られることが確認された。
【００２７】
次いで反応が終了した時点で、反応停止剤（例えば水）を注入して反応の進行を停止させ、必要に応じて、目的の化合物が精製されているか否かを確認したり、場合によっては反応が終了する前に反応中の生成物を確認するために、薄層クロマトグラフィーによるＴＬＣ分析操作を行う。
このＴＬＣ分析操作は、合成された化合物が複数の液層に分液されている場合に、目的の化合物がどの液層で精製されているかを確認するために特に有益である。
具体的には、試薬ラック３３を外して、ＴＬＣ基板支持ラック６１を装着し、当該ラック６１に支持されたＴＬＣ基板６０上に、各液層から所要量の化合物を滴下して、ＴＬＣ基板６０上に展開させた後、紫外線等を照射して分析する。
【００２８】
そして、各反応管５内で合成された目的とする化合物を取り出す。この場合に、まず、交換ラック装着部７に装着された試薬ラック３３又はＴＬＣ基板支持ラック６１を外して、サンプルラック３５を装着しておく。ここで、反応管５内で合成された化合物がコロイド状になって複数の液層に分液されていない場合は液層の位置を定める必要がないので、単に、反応管５内の化合物をサンプリングニードル５０Ａで吸入すればよい。
また、合成された化合物が複数の液層に分液されている場合は分液サンプリングを行い、目的の化合物が精製されている液層部分の薬液を採取する。これは、反応管５内の液層の位置を設定することにより、サンプリングニードル５０Ａの先端をその液層内に位置させて吸入させ、吸入した化合物をサンプルラック３５の試験管３４に吐出させ、これを各反応管５ごとに行なう。
【００２９】
さらに、反応が終了した化合物について濾過する必要がある場合は、交換ラック装着部７のドレイン槽３１の真上に位置するように濾過ラック３７を装着する。そして、サンプルラック３５の試験管３４内に採取した化合物を濾過する場合は、サンプルラック３５を反応ブロック６の上に載置し、サンプリングニードル５０Ａを用いて試験管３４内の化合物を吸入して濾過カートリッジ３６に注入する。
また、反応管５から化合物を直接濾過カートリッジ３６に注入する場合は、サンプリングニードル５０Ａを用いて反応管５内の化合物を吸入して濾過カートリッジ３６に注入する。次いで、必要があれば、多連加圧ノズル５５を用いて濾過カートリッジ３６内に加圧窒素ガスを供給することにより、濾過時間を短縮できる。
【００３０】
なお、合成された化合物の構造分析を行う前処理としてカラム精製操作を行う場合は、交換ラック装着部７にカラム精製ラック３９を装着する。この場合、まず、フラクションラック４４に試験管４３を配列し、シフトラック４５に抽出管３８を配列して、当該シフトラック４５をドレイン槽３１側にスライドさせる。この状態で、ロボットアーム９の先端にカラム精製ニードル５０Ｂを装着して、各抽出管３８に所定の溶媒を注入しコンディショニングを行う。
【００３１】
次いで、コンディションニングが終了すると、反応ブロック６の上に載置したサンプルラック３５から吸入したサンプルを各抽出管３８に注入するサンプルロードを行う。この場合、一のサンプルを一の抽出管３８に注入するたびにカラム精製ニードル５０Ｂの先端をニードルホルダ５４Ｂ内の洗浄装置で洗浄することにより、サンプル同士が混ざるのを防止している。
【００３２】
サンプルロードが終了すると抽出管３８の固定層に保持されている夾雑物を洗い流す洗浄操作を行う。これは、カラム精製ニードル５０Ｂにより洗浄溶剤を注入することにより行われ、そのとき抽出管３８から流出される液はドレイン槽３１に回収される。
【００３３】
洗浄操作が終了すると、シフトラック４５をフラクションラック４４側に移動させて、抽出管３８内に所定の溶媒を注入することにより溶出液をフラクションラック４４の各試験管４３に回収してカラム精製操作を終了する。
なお、この場合に、抽出管３８の溶出液を試験管４３に直接回収するのではなく、溶出液を紫外線吸光度計でモニタして、溶出液に含まれる物質や溶出液の濃度を検出し、検出された物質や濃度が変化するたびごとに、フラクションラック４４を移動させて自動的に新しい試験管４３に交換し、紫外線吸収ピークのみを画分として自動分画を行ってもよい。そして、フラクションラック４４の各試験管４３内に回収された溶出液を遠心分離器にかけて濃縮し、これを溶解した後、構造分析装置にかければ構造分析を行うことができる。
【産業上の利用可能性】
【００３４】
以上述べたように、本発明に係るシール構造は、反応管に試薬を注入して、攪拌し、加熱・冷却して所定の化学反応を進行させる反応操作を行う場合に、反応管内の反応溶液の濃度を一定に維持しながら反応を行わせる用途に適用することができる。
【図面の簡単な説明】
【００３５】
【図１】本発明に係る反応管のシール構造を示す拡大図。
【図２】その反応管を用いる化合物の合成装置を示す正面図。
【図３】そのＩ−Ｉ線断面図。
【図４】反応ブロックの内部構造を示す拡大図。
【図５】交換ラック装着部にサンプルラックを装着した状態を示す正面図。
【図６】交換ラック装着部にＴＬＣ基板支持ラックを装着した状態を示す正面図。
【図７】交換ラック装着部に濾過ラックを装着した状態を示す正面図。
【図８】交換ラック装着部にカラム精製ラックを装着した状態を示す正面図。
【図９】配管系を示す流体回路図。
【図１０】抽出管とカラム精製ニードルを示す拡大図。
【符号の説明】
【００３６】
１・・・化合物の自動合成装置
５・・・反応管
５ａ・・弾性パッキン
５ｂ・・キャップ
５ｃ・・磁気攪拌子
６・・・反応ブロック
７・・・交換ラック装着部
１１・・・攪拌手段
１２・・・温度制御手段
１６・・・ヒータ
１７・・・流通路
３０・・・ラック載置面
３１・・・ドレイン槽
３２・・・試験管
３３・・・試薬ラック
３４・・・試験管
３５・・・サンプルラック
３６・・・濾過カートリッジ
３７・・・濾過ラック
３８・・・抽出管
３９・・・カラム精製ラック
４３・・・試験管
４４・・・フラクションラック
４５・・・シフトラック
５０Ａ・・サンプリングニードル（薬液注入ニードル）
５０Ｂ・・カラム精製ニードル（薬液注入ニードル）
５６・・・透孔
５７・・・シリコンゴム
５８・・・ライニング
５９・・・上端開口部
６０・・・ＴＬＣ基板
６１・・・ＴＬＣ基板支持ラック
【図１】
2008183556.tif 000003
【図２】
2008183556.tif 000004
【図３】
2008183556.tif 000005
【図４】
2008183556.tif 000006
【図５】
2008183556.tif 000007
【図６】
2008183556.tif 000008
【図７】
2008183556.tif 000009
【図８】
2008183556.tif 000010
【図９】
2008183556.tif 000011
【図１０】
2008183556.tif 000012